(57)【要約】  電源と、前記電源と選択的に電気通信するセキュリティ装置とを含むワイヤレスセキュリティシステムである。セキュリティ装置は、電源に電気的に接続されるとセキュリティ応答を与える。受信機が、電源とセキュリティ装置との間に電気的に接続され、セキュリティ装置を電源に選択的に電気接続するべく動作可能である。当該システムの少なくとも１つのエネルギー自給スイッチは、ワイヤレス送信機と、ワイヤレス送信機に電力を供給するべく動作可能なエネルギー回収器とを含む。ワイヤレス送信機は、エネルギー回収器からの電力供給に応答して受信機に信号を発信してセキュリティ応答のトリガを与える。
2011512044.tif 000002
【特許請求の範囲】
【請求項１】
電源と、
前記電源と選択的に電気通信するセキュリティ装置と、
前記電源と前記セキュリティ装置との間に電気的に接続された受信機と、
ワイヤレス送信機と前記ワイヤレス送信機にセキュリティ事象に応答して電力を供給するエネルギー回収器とを含む少なくとも１つのエネルギー自給センサと
を含み、
前記セキュリティ装置は前記電源に電気的に接続された場合にセキュリティ応答を与え、
前記受信機は前記セキュリティ装置を前記電源に選択的に電気接続し、
前記ワイヤレス送信機は、前記エネルギー回収器により電力供給を受けたことに応答して前記受信機に信号を発信し、前記セキュリティ応答のトリガが与えられるワイヤレスセキュリティシステム。
【請求項２】
前記エネルギー回収器により電源供給を受ける運動センサをさらに含み、前記エネルギー回収器は光起電力装置である、請求項１に記載のワイヤレスセキュリティシステム。
【請求項３】
前記光起電力装置は前記運動センサに電力を供給する、請求項２に記載のワイヤレスセキュリティシステム。
【請求項４】
前記少なくとも１つのエネルギー自給センサは、窓及びドアから選択される建物の入口に機械的に接続される、請求項１に記載のワイヤレスセキュリティシステム。
【請求項５】
前記エネルギー回収器が建物の入口に接続されて、前記エネルギー回収器は前記建物の入口の動きに応じて前記電力を発生する、請求項１に記載のワイヤレスセキュリティシステム。
【請求項６】
前記受信機は、前記少なくとも１つのエネルギー自給センサにより前記信号を識別するソフトウェアモジュールを含む、請求項１に記載のワイヤレスセキュリティシステム。
【請求項７】
前記セキュリティ装置は、ライト、聴覚装置、セキュリティ当局への他の信号、電動ロック、セキュリティシステム、建物水バルブ、及び多室間インジケータシステムからなるグループから選択される、請求項１に記載のワイヤレスセキュリティシステム。
【請求項８】
前記少なくとも１つのエネルギー自給センサは建物の入口の錠に接続される、請求項１に記載のワイヤレスセキュリティシステム。
【請求項９】
前記セキュリティ装置は電動ロックであり、前記電源は、光起電力装置、熱的発電装置、機械的発電装置、及び風力発電装置からなるグループから選択される、請求項１に記載のワイヤレスセキュリティシステム。
【請求項１０】
前記セキュリティ装置は、前記セキュリティ応答として建物に関する水流を制御するべく動作可能な開状態及び閉状態を有する建物の水バルブである、請求項１に記載のワイヤレスセキュリティシステム。
【請求項１１】
電源と、
前記電源と選択的に電気通信するセキュリティ装置と、
前記電源と前記セキュリティ装置との間に接続された受信機と、
ワイヤレス送信機と、前記ワイヤレス送信機にセキュリティ事象に応答して電力を供給するエネルギー回収器とを含む少なくとも１つのエネルギー自給センサと、
前記受信機と通信して前記セキュリティ装置のアクティビティパターンを所定期間にわたり記録することができるメモリモジュールと
を含み、
前記セキュリティ装置は前記電源に電気的に接続された場合にセキュリティ応答を与え、
前記受信機は前記セキュリティ装置を前記電源に選択的に電気接続し、
前記ワイヤレス送信機は、前記エネルギー回収器により電力供給を受けたことに応答して前記受信機に信号を発信して前記セキュリティ応答のトリガが与えられ、前記受信機は前記セキュリティ装置を他の所定期間にわたり前記電源に選択的に電気接続し、前記セキュリティ応答として前記アクティビティパターンが反復されるワイヤレスセキュリティシステム。
【請求項１２】
前記セキュリティ装置は建物のライトを含み、前記アクティビティパターンは前記建物のライトのオン状態及びオフ状態が交互となることを含む、請求項１１に記載のワイヤレスセキュリティシステム。
【請求項１３】
前記受信機は、前記メモリモジュールと、前記少なくとも１つのエネルギー自給スイッチにより前記信号を識別するソフトウェアモジュールとを含む、請求項１１に記載のワイヤレスセキュリティシステム。
【請求項１４】
前記少なくとも１つのエネルギー自給センサは携帯可能であり、前記セキュリティ応答は前記受信機及び前記セキュリティ装置に関して異なる場所からトリガを受けることができる、請求項１１に記載のワイヤレスセキュリティシステム。
【請求項１５】
少なくとも１つのセキュリティ装置に対して第１期間にわたりメモリモジュールにアクティビティパターンを記録することと、
第２期間にわたり前記第１期間の前記アクティビティパターンを反復するべく前記少なくとも１つのセキュリティ装置を電源に選択的に電気接続することと
を含むワイヤレスセキュリティシステムを使用する方法。
【請求項１６】
前記少なくとも１つのセキュリティ装置は建物のライトを含み、前記アクティビティパターンは構造物内の占有を模擬する点灯パターンである、請求項１５に記載の方法。
【請求項１７】
建物のライトをオン状態とオフ状態とに切り換えることにより前記アクティビティパターンを発生することをさらに含む、請求項１５に記載の方法。
【請求項１８】
前記アクティビティパターンを所定の遡る期間にわたり自動記録することを含む、請求項１５に記載の方法。
【請求項１９】
エネルギー自給スイッチを使用して前記第２期間が開始するトリガを手動で与えることを含む、請求項１８に記載の方法。
【発明の詳細な説明】
【技術分野】
【０００１】
本開示はセキュリティシステムに関し、詳しくは、少なくとも１つのエネルギー自給スイッチを使用したセキュリティシステムに関する。
【０００２】
関連出願の相互参照
本開示は、２００７年８月５日出願の米国仮特許出願第６０／９５４，００７号の優先権を主張する。
【０００３】
ワイヤレススイッチは典型的には、内部送信機に電力を供給するべくバッテリを使用する。例えば、かかるワイヤレススイッチは、例えばワイヤレスガレージドア開閉器のような、バッテリを交換するべくアクセス容易な所定のスイッチ用途に使用されている。他のスイッチ用途では、バッテリへのアクセスは限られるか又は全く実行不能である。例えば、ライトスイッチは壁内へ埋め込まれるので、分解するにはかなりの労力が必要となる。また、セキュリティセンサスイッチは高所又は容易に届かないところにある。
【先行技術文献】
【特許文献】
【０００４】
【特許文献１】米国特許出願公開第２００６／０３３５９７（Ａ１）号明細書
【特許文献２】米国特許第３８２７０３８号明細書
【特許文献３】米国特許第５５７２１９０号明細書
【発明の概要】
【０００５】
例示のワイヤレスセキュリティシステムは、電源と、当該電源と選択的に電気通信するセキュリティ装置とを含む。セキュリティ装置は、電源と電気的に接続されるとセキュリティ応答を与える。電源とセキュリティ装置との間には受信機が電気的に接続される。受信機は、セキュリティ装置を電源に選択的に電気接続するべく動作可能である。当該システムの少なくとも１つのエネルギー自給スイッチは、ワイヤレス送信機と、当該ワイヤレス送信機に電力を供給するべく動作可能なエネルギー回収器とを含む。ワイヤレス送信機は、エネルギー回収器からの電力に応答して受信機へ信号を発信し、セキュリティ応答のトリガが与えられる。
【０００６】
他の側面では、本ワイヤレスセキュリティシステムは、受信機と通信するメモリモジュールを含む。メモリモジュールは、建物のライトのアクティビティパターンを第１期間にわたり記録することができる。受信機はその後、第２期間にわたり当該アクティビティパターンをセキュリティ応答として反復するべくセキュリティ装置を電源に選択的に電気接続する。
【０００７】
ワイヤレスセキュリティシステムとともに使用される例示の方法は、少なくとも１つのセキュリティ装置に対して第１期間にわたりアクティビティパターンをメモリモジュールに記録することと、当該アクティビティパターンを反復するべく第２期間にわたり、当該少なくとも１つのセキュリティ装置を電源に選択的に電気接続することとを含む。
【図面の簡単な説明】
【０００８】
以下の詳細な説明から当業者にとって、開示の例の様々な特徴及び利点が明らかとなる。詳細な説明に付随する図面は、以下のとおり簡単に説明される。
【図１】例示のワイヤレスセキュリティシステムを概略的に示す。
【図２Ａ】窓とともに使用される例示のワイヤレスセキュリティシステムを示す。
【図２Ｂ】他の例の窓を示す。
【図２Ｃ】他の例の窓を示す。
【図３Ａ】ドアとともに使用されるワイヤレスセキュリティシステムを示す。
【図３Ｂ】図３Ａのドアの例示のヒンジを示す。
【図４】錠とともに使用される例示のワイヤレスセキュリティシステムを示す。
【図５】運動センサを有する例示のワイヤレスセキュリティシステムを示す。
【図６】水バルブとともに使用される例示のワイヤレスセキュリティシステムを示す。
【発明を実施するための形態】
【０００９】
図１は、セキュリティ事象（例えば、犯罪、非犯罪、物的損害等）に応答するセキュリティ応答を与える例示のワイヤレスセキュリティシステム１０の選択された一部を概略的に示す。図示の例では、ワイヤレスセキュリティシステム１０は、電源１２と、接続線により一般に示されるように当該電源１２と選択的に電気通信するセキュリティ装置１４ａとを含む。
【００１０】
ワイヤレスセキュリティシステム１０は、電源１２とセキュリティ装置１４ａとの間に電気的に接続される受信機１６も含む。例えば、受信機１６は、セキュリティ装置１４ａを電源１２に選択的に電気接続することができる。例えば、受信機１６は、この機能を果たすべくハードウェア、ソフトウェア、又はその双方を含んでよい。受信機１６は、セキュリティ装置１４ａの制御動作を行う単チャンネル受信機であってよい。または、セキュリティ装置１４ｂのような１つ以上の付加的なセキュリティ装置の制御動作を行うことができる多チャンネル受信機であってよい。例えば、受信機１６は、ＥｎＯｃｅａｎ（登録商標）製品番号ＲＣＭ１３０Ｃであってよい。
【００１１】
さらに、ワイヤレスセキュリティシステム１０は、受信機１６と通信するエネルギー自給センサ１８を含む。エネルギー自給センサ１８は、ワイヤレス送信機２０と、当該ワイヤレス送信機２０に電力を供給するべく動作可能なエネルギー回収器２２とを含む。例えば、エネルギー自給センサ１８は、例えばドアの動き、太陽エネルギー等のような（エネルギー自給センサ１８に対して）外部のエネルギーをエネルギー回収器２２を使用して回収する。エネルギー回収器２２は、圧電素子、光起電力装置、又は他のタイプのエネルギー変換装置であってよい。エネルギー変換装置は、エネルギー自給センサ１８の外部環境からエネルギーを受け取り、当該エネルギーを電気に変換してワイヤレス送信機２０に電力を供給することができる。したがって、こうした任意のタイプの装置の使用がエネルギー自給センサ１８の範囲内とされる。例えば、エネルギー自給センサ１８は、ＥｎＯｃｅａｎ製品番号ＰＴＭ２５０であってよい。
【００１２】
ワイヤレス送信機２０は、エネルギー回収器２２からの電力供給に応答して例えば無線周波数（radio frequency（「ＲＦ」））信号のような信号を受信機１６へ発信するべく動作可能であり、当該セキュリティ応答のトリガを与えることができる。この点で、エネルギー自給センサ１８は、ハードウェア（例えばタイミング回路、論理回路、マイクロプロセッサ等）、ソフトウェア、又はその双方を含んでよい。ワイヤレス送信機２０は、特定のエネルギー自給センサ１８を識別する符号化信号のような所望タイプの信号を与える。または、回収された電力量をモニタし及び／又はワイヤレス送信機２０の電力を制御する「スマート」な能力を与える。
【００１３】
いくつかの例では、受信機１６は、ワイヤレスセキュリティシステム１０の動作を向上させる付加的なコンポーネントも含んでよい。例えば、受信機１６は、ソフトウェアモジュール１６ａ及び／又はメモリモジュール１６ｂも含んでよい。ソフトウェアモジュール１６ａはまた、１つ以上のエネルギー自給センサ１８から受信機１６に受け取られた信号の解析を容易にする。複数のエネルギー自給センサ１８並びに／又は複数のセキュリティ装置１４ａ及び１４ｂが存在する例では、ソフトウェアモジュール１６ａは、エネルギー自給センサ１８の特定の１つを（例えば符号化信号から）伴う受信信号及び所望の出力セキュリティ応答を識別する。例えば、ソフトウェアモジュール１６ａは、エネルギー自給センサ１８の１つからの信号に応答してセキュリティ装置１４ａをアクティベートすべきと決定してよく、エネルギー自給センサ１８の他の１つからの信号に応答してセキュリティ装置１４ｂをアクティベートすべきと決定してよい。したがって、ソフトウェアモジュール１６ａにより、受信機１６は、複数のエネルギー自給センサ１８及び複数の異なるセキュリティ応答出力を管理することができる。
【００１４】
図示の例では、ワイヤレスセキュリティシステム１０は、建物構造物２４と関連付けられて建物構造物２４のセキュリティをモニタする。この点で、セキュリティシステム１０は、セキュリティモニタの様々な異なる方法で使用できる。開示の例でさらに示されるように、エネルギー自給センサ１８は、セキュリティモニタにより利益が得られるであろう窓、ドア、引き出し、ゲート等の一部２６のような建物構造物２４の一部２６に接続されてよい。セキュリティ事象に起因してのエネルギー供給に応答して、エネルギー自給センサ１８は、ワイヤレス信号２８を受信機１６へ発信する。これにより、セキュリティ応答を与えるセキュリティ装置１４ａ及び／又は１４ｂがトリガされる。
【００１５】
与えられる当該タイプのセキュリティ応答は、特定のタイプに限られない。例えば、視覚指示、聴覚指示、通信、又は機械的応答であってもよい。以下の非限定例により示されるように、ワイヤレスセキュリティシステム１０は、様々な異なる方法で使用されてよい。
【００１６】
さらに、セキュリティ装置１４ａ及び１４ｂは、特定のタイプに限られない。例えば、視覚インジケータ、聴覚装置、通信装置、又は機械的装置であってもよい。例えば、セキュリティ装置１４ａ又は１４ｂは、建物のライト、聴覚装置、セキュリティ当局への信号、電動ロック、セキュリティシステム、建物の水バルブ、又は、建物構造物２４の異なる部屋Ｒ１及びＲ２に配置されるインジケータを有する多室間インジケータシステムであってよい。インジケータは、建物構造物２４の当該一部２６に関連するセキュリティ事象が存在するという部屋Ｒ１及びＲ２内の指示を与える。例えば、エネルギー自給センサ１８がゲート又はドアに組み込まれる場合、部屋Ｒ１及びＲ２内のインジケータのアクティベーションにより、何者かが建物構造物２４に到着又は建物構造物２４から立ち去ったことが指示される。
【００１７】
いくつかの例では、エネルギー自給センサ１８は、（例えば、受信機１６並びにセキュリティ装置１４ａ及び１４ｂから離れた）建物構造物２４内の異なる場所からセキュリティ応答をトリガできるように携帯可能であってよい。例えば、エネルギー自給スイッチは、ワイヤレス送信機２０の範囲に応じて、建物構造物２４内で部屋から部屋へ又は建物構造物２４の敷地まわりに局所的に持ち運びできるハンドヘルド装置であってよい。一例では、エネルギー自給センサ１８は、セキュリティ事象が存在する場合にセキュリティ応答をアクティベートさせるべく個人が持ち運ぶ「パニック」ボタンとして使用してよい。例えば、セキュリティ応答は、ホームセキュリティシステムをアクティベートするか又はセキュリティ当局（例えばセキュリティ会社）へ信号を送る形態であってよい。
【００１８】
いくつかの例では、メモリモジュール１６ｂは、セキュリティ装置１４ａ又は１４ｂのアクティビティを所定期間にわたり記録するべく使用されてよい。メモリモジュール１６は、例えばソリッドステートメモリ装置、フラッシュ装置等の任意のタイプのメモリ装置であってよい。メモリモジュール１６ｂは、例えば１週間のような期間にわたりアクティビティパターンを記録するべくセキュリティ装置１４ａ又は１４ｂと機能的に接続されてよい。すなわち、メモリモジュール１６ｂは、セキュリティ装置１４ａ又は１４ｂのアクティビティをモニタ及び記録するべく受信機１６を介してソフトウェアモジュール１６ａと協働してよい。アクティビティパターンは、例えば建物のライトの点灯パターンのような任意のタイプのパターンであってよい。また、建物内の占有を模擬できるテレビジョン、ラジオ等のような他の装置の使用パターンを含んでもよい。
【００１９】
一例では、建物の占有者が夜にライトを点灯し、その後当該ライトを消灯する。または、部屋に入る／部屋を出るときにライトを点灯／消灯する。メモリモジュール１６ｂが、エネルギー自給センサ１８を使用してアクティベート及びディアクティベートされて、所定期間にわたるライトのオン及びオフのアクティビティが記録開始及び終了される。エネルギー自給センサ１８はまた、その後の第２期間を開始するべく使用されて、オン及びオフのアクティビティを再生する。当該アクティビティにおいて、受信機１６は、セキュリティ応答としてのライトの点灯パターンに応じて選択的にライトを電源１２に電気接続する。したがって、メモリモジュール１６ｂは、占有者が家にいるときのアクティビティを記録し、占有者が家にいないときに点灯パターンを再生して占有を模擬できる。いくつかの例では、メモリモジュール１６ｂは、現時点から開始して過去にプリセット時間量だけ遡る期間の連続的なアクティビティを記録できる。
【００２０】
以下の例は、ワイヤレスセキュリティシステム１０のさらなる実施例を示す。図２Ａは、図１の例に記載されたワイヤレスセキュリティシステム１０にある程度類似するワイヤレスセキュリティシステム１００の実施例を示す。本開示では、同じ参照番号は適宜同じ要素を示すこととする。また、１００又は１００の倍数を付加した参照番号は修正要素を示すこととする。なお、修正要素は、特に言及がある場合を除き、対応する元の要素と同じ特徴及び利点を含む。この例では、ワイヤレスセキュリティシステム１００は、建物の電球であるセキュリティ装置１１４ａを含む。受信機１１６は、電源１１２と建物の電球との間に電気的に接続される。これにより、建物の電球が電源と選択的に電気接続されて点灯する。エネルギー自給センサ１１８が窓１３１に機械的に接続される。例えば、窓１３１は、前述の例の建物構造物２４内に存在する。
【００２１】
窓１３１は、当該窓１３１を開閉するべく上下にスライドする可動部１３３を含む。可動部１３３の動きがエネルギー自給センサ１１８を機械的にアクティベートする。アクティベートされると、エネルギー自給センサ１１８のエネルギー回収器１２２がワイヤレス送信機１２０に電力を供給する。それに応答して、ワイヤレス送信機１２０は、受信機１１６に信号を発信する。信号に応答して、受信機１１６は、建物の電球と電源１１２との電気接続を制御してセキュリティ応答のトリガを与える。例えば、窓１３１の開動作により建物の電球が点灯し、閉動作により建物の電球が消灯する。他の例では、受信機１１６は、セキュリティ応答としてのフラッシュ効果を目的として建物の電球を間欠的に点灯させる。
【００２２】
図２Ｂに示されるように、エネルギー自給センサ２１８が、図２Ａに示される窓１３１とは別のタイプの窓に接続されてよい。この例では、エネルギー自給センサ２１８は、フレーム２４１及び可動枠２４３を含む開き窓２３１に接続される。可動枠は、回転クランク２４５を使用して開閉することができる。フレーム２４１に対して可動枠２４３をロックするべく複数のラッチ２４７が使用される。エネルギー自給センサ２１８がフレーム２４１に接続される。枠２４３の動きにより、エネルギー自給スイッチ２１８が機械的にアクティベートされる。アクティベートされると、エネルギー自給センサ２１８のエネルギー回収器２２２がワイヤレス送信機２２０に電力を供給する。それに応答して、ワイヤレス送信機２２０は、例えば受信機１１６に信号を発信する。
【００２３】
図２Ｃに示されるように、少なくとも１つのエネルギー自給センサ３１８が、スライド窓３３１に接続される。スライド窓３３１は、互いに対して可動な第１窓部３５９及び第２窓部３６１を含む。第１窓部３５９及び第２窓部３６１はフレーム３４１内に取り付けられる。一のエネルギー自給センサ３１８がフレーム３４１の各側部に接続される。これにより、第１窓部３５９及び第２窓部３６１のそれぞれの動きが感知される。第１窓部３５９又は第２窓部３６１の動きにより、エネルギー自給センサ３１８のそれぞれが機械的にアクティベートされる。アクティベートされると、エネルギー自給センサ３１８のエネルギー回収器３２２がワイヤレス送信機３２０に電力を供給する。それに応答して、ワイヤレス送信機３２０は、例えば受信機１１６に信号を発信する。
【００２４】
図３Ａは、他の例のワイヤレスセキュリティシステム４１０を示す。これは、ドア４７１に組み込まれる。例えば、ドア４７１は、図１の例の建物構造物２４内に存在してよい。電源４１２は、本開示で記載される建物のライト等の装置のようなセキュリティ装置４１４ａと選択的に電気通信する。受信機４１６は、電源４１２とセキュリティ装置４１４ａとの間に電気的に接続される。一般的に上述したように、セキュリティ装置４１４ａを電源４１２に選択的に電気接続するべく動作可能である。エネルギー自給センサ４１８がドア４７１に接続される。例えば、エネルギー自給センサ４１８は、ドア４７１のヒンジ４７３に一体化される。これにより、ドア４７１の動きがエネルギー自給センサ４１８を機械的にアクティベートする。アクティベートされると、エネルギー自給センサ４１８のエネルギー回収器４２２がワイヤレス送信機４２０に電力を供給する。それに応答して、ワイヤレス送信機４２０は、受信機４１６に信号を発信する。これにより、セキュリティ装置４１４ａがトリガされて建物のライトを点灯させるといったセキュリティ応答が与えられる。例えば、ドア４７１の開動作により建物の電球が点灯し、閉動作により建物の電球が消灯する。
【００２５】
図３Ｂは、エネルギー自給センサ４１８が組み込まれたドア４７１のヒンジ４７３を示す。この例では、ヒンジ４７３は、ドア４７１に固定される第１部分４７５と、ドアフレームのようなドア４７１の周囲構造物に固定される第２部分４７７とを含む。エネルギー自給センサ４１８は第２部分４７７に機械的に接続されるが、その代わりに第１部分４７５に接続されてもよい。ドア４７１の動きにより、エネルギー回収器４２２が機械的にアクティベートされる。これにより、ワイヤレス送信機４２０のための電力が発生される。その代わりに、エネルギー自給センサ４１８は他のタイプのヒンジに組み込まれてよいが、図示の例に限定されない。さらに、例示のヒンジ４７３又は他のタイプのヒンジは、ヒンジ付窓、キャビネット等のような他のヒンジ付構造物に組み込まれてよい。
【００２６】
図４は、他の例のワイヤレスセキュリティシステム５１０を示す。これは、錠５８１とともに使用される。例えば、錠５８１は、ドア、窓等、又は上述の例のいずれかに組み込まれてよい。この例では、錠５８１は、錠ハウジング５８５内に少なくとも一部が存在するデッドボルト５８３を含む。デッドボルトはアクチュエータ５８７に接続されてデッドボルト５８３のロック又はアンロックが行われる。デッドボルト５８３は、周知の態様で窓、ドア、又は他の装置と相互作用してロック又はアンロック状態を与えてよい。
【００２７】
この例では、ロック位置及びアンロック位置の間のデッドボルト５８３の動きがそれぞれスプリング５８９を圧縮及び解放する。スプリング５８９はエネルギー自給センサ５１８に接続される。エネルギー自給センサ５１８は、アーム５９１を有するエネルギー回収器５２２を含む。アーム５９１は、スプリング５８９及びデッドボルト５８３の近くまで延びる。いくつかの例では、アーム５９１はスプリング５８９、デッドボルト５８３、又はその双方に接続される。
【００２８】
デッドボルト５８３が図４にて左へ動くとスプリング５８９が圧縮され、デッドボルト５８３が図４にて右へ動くとスプリング５８９が伸長する。アーム５９１は、スプリング５８９及びデッドボルト５８３の動きとともに左右に動く。アーム５９１の動きにより、エネルギーがデッドボルト５８３の機械的動きから回収される。これにより、ワイヤレス送信機５２０は信号を発信するための電力を供給される。信号に応答して、受信機５１６は、セキュリティ装置５１４ａと電源５１２との電気接続を制御することによりセキュリティ応答のトリガを与える。例えば、錠５８１をアンロック又はロックすることにより、電球を一時的に点灯するか又は警告音を発する形態のセキュリティ応答のトリガが与えられる。
【００２９】
オプションとして、錠５８１は電動ロックであってよく、ロック位置とアンロック位置との間でデッドボルト５８３を選択的に動かすアクチュエータ５９３を含んでよい。例えば、アクチュエータ５９３は、ソレノイド又は他のタイプのアクチュエータであってよい。アクチュエータ５９３は、光起電力装置５９５のような自身の電源を有してよい。または、電源５１２に電気的に接続されてよい。その代わりに、光起電力装置５９５が、熱的発電装置、機械的発電装置、又は風力発電装置であってよい。この点で、他のエネルギー自給センサ５１８’が手動で選択的にアクティベートされて受信機５１６に、又はアクチュエータ５９３内の他の類似の受信機５１６’に信号を発信してよい。受信機５１６’は、光起電力装置５９５（又は電源５１２）とアクチュエータ５９３との電気接続に対して選択的な電気的制御を行う。これにより、アクチュエータ５９３がアクティベートされて錠５８１の状態がロック及びアンロック間で変更される。
【００３０】
図５は、他の例のワイヤレスセキュリティシステム６１０を示す。これは、居住建物又は商用建物のような建物構造物６２４に組み込まれる。この例では、エネルギー自給センサ６１８が、外部ドアのようなドア６７１の上方に取り付けられる。他の例では、エネルギー自給センサ６１８は、その代わりに、建物構造物６２４の内部に取り付けられてよい。
【００３１】
エネルギー自給センサ６１８は、ドア６７１に対応する領域Ａにわたる動きを検知するための運動センサ６９９を含む。この例では、エネルギー回収器６２２は、日光又は建物のライトからの外部光エネルギーを回収する光起電力装置である。これにより、運動センサ６９９及びワイヤレス送信機６２０が電力供給を受ける。例えば、エネルギー回収器６２２は運動センサ６９９に周期的に電力を供給してよい。これにより、運動センサ６９９は周期的に領域Ａにわたる動きをチェックする。一例では、エネルギー回収器６２２は、所定のしきい量のエネルギーが回収されたときにのみ運動センサに電力を供給する。しきい量は、運動センサ６９９及びワイヤレス送信機６２０に電力を供給するべく必要とされる量であってよい。この点で、エネルギー自給センサ６１８は、上述の「スマート」な能力を与えるハードウェア、ソフトウェア、又はその双方を含んでよい。
【００３２】
ワイヤレス送信機６２０は受信機６１６に信号を発信する。例えば、信号は、運動センサ６９９により検知されるような動きの存在又は不存在を表す。そして、受信機６１６は動きの存在又は不存在に応じて、電源６１２をセキュリティ装置６１４ａに選択的に電気接続してよい。一例では、検知された動きが、建物構造物６２４内のライトを点灯する形態のセキュリティ応答のトリガを与える。これにより、占有者はドア６７１におけるセキュリティ事象の可能性を知る。
【００３３】
図６は、他の例のワイヤレスセキュリティシステム７１０を示す。これは、物的損害に対するセキュリティを目的として居住建物又は商用建物のような建物構造物７２４に組み込まれる。この例では、建物構造物７２４は、接続ライン７１３を通して建物構造物７２４に水を供給する主水ライン７１１に流体的に接続される。建物構造物７２４は、水バルブをセキュリティ装置７１４ａとして含む。水バルブは接続ライン７１３に組み込まれ、完全に閉止して主水ライン７１１からの任意の水流をブロックするべく動作可能である。
【００３４】
図示の例では、水バルブは、アクチュエータ７１７（例えばソレノイド）を含む電動バルブ７１５である。アクチュエータ７１７は、完全開位置及び完全閉位置の間で電動バルブ７１５を動かすことができる。受信機７１６は、電源７１２と電動バルブ７１５との間に電気的に接続される。
【００３５】
ワイヤレスセキュリティシステム７１０のエネルギー自給センサ７１８は、ワイヤレス送信機７２０と、ワイヤレス送信機７２０に電力を供給するエネルギー回収器７２２とを含む。アクティベートされると、ワイヤレス送信機７２０は受信機７１６に信号を発信してセキュリティ応答のトリガを与える。この例では、セキュリティ応答は、電動バルブ７１５の開状態及び閉状態を制御する携帯である。例えば、エネルギー自給センサ７１８が作動して電動バルブ７１５を選択的に開くか又は閉じる。これにより、建物構造物７２４内への水流が制御される。例えば、個人が、建物構造物７２４から立ち去るときに水流を止めることができる。これにより、浸水の可能性が防止される。一の可能な実施例では、建物構造物は、かなりの期間離れる場合に容易に水を止めることが望ましい休暇用住宅であってよい。
【００３６】
特徴の組み合わせが例示されているが、本開示の様々な実施例の利点を実現するべくこれらの全てを組み合わせる必要はない。すなわち、本開示の実施例に従って設計されたシステムは、図面の任意の１つに示された特徴の全てを含む必要はないし、図面に概略的に示された部分の全てを含む必要もない。さらに、一実施例の選択された特徴を他実施例の選択された特徴と組み合わせてもよい。
【００３７】
上述の説明は事実上、例示的であって限定的ではない。当業者にとって、本開示の要旨を必ずしも逸脱しないような、開示の例に対する変形及び修正が明らかになる。本開示に与えられる法的保護範囲は、以下の請求項を精査することによってのみ決定することができる。
【図１】
2011512044.tif 000003
【図２Ａ】
2011512044.tif 000004
【図２Ｂ】
2011512044.tif 000005
【図２Ｃ】
2011512044.tif 000006
【図３Ａ】
2011512044.tif 000007
【図３Ｂ】
2011512044.tif 000008
【図４】
2011512044.tif 000009
【図５】
2011512044.tif 000010
【図６】
2011512044.tif 000011
【国際調査報告】
2011512044.tif 000012
2011512044.tif 000013